(57)【要約】【課題】  ＡＢリピート再生中に特殊再生処理（早送り再生や早戻し再生）を実行した場合に、設定したリピート区間外の映像が表示されるのを防止できるディスク再生装置を提供する。【解決手段】  ＡＢリピート再生機能を有するディスク再生装置において、入力手段からの指示信号に基づいてＡ点（リピート開始点）及びＢ点（リピート終了点）の時間情報を設定するとともに、Ａ点及び／又はＢ点の画像データを記憶し、ＡＢリピート再生中の特殊再生（早送り再生又は早戻し再生）がリピート区間の終点に到達した場合には、Ａ点又はＢ点の画像データに基づく画像をオンスクリーン表示させるようにし、ユーザがリピート区間外の映像が再生されていることを認識できないようにした。【選択図】図２
2008054194.tif 000002
【特許請求の範囲】
【請求項１】
ディスク状記録媒体に記録された画像データの再生処理を制御する再生制御手段と、
画像データの再生処理中に入力手段から指示信号を入力されることに基づいて、リピート開始点とリピート終了点を設定するリピート区間設定手段と、
前記リピート区間の画像データを繰り返し再生するリピート再生制御手段と、
前記リピート再生制御手段によるリピート再生中の早送り再生又は早戻し再生を制御する特殊再生制御手段と、
主画像に副画像を重畳して表示可能なオンスクリーン表示手段と、
を備えたディスク再生装置であって、
前記リピート区間設定手段は、リピート開始点及びリピート終了点の時間情報を設定するとともに、リピート開始点及びリピート終了点の画像データを記憶し、
前記特殊再生制御手段は、
前記画像データに含まれるＩピクチャを所定の時間間隔で読み飛ばして特殊再生を行うとともに、
再生されるＩピクチャの時間情報と、前記リピート開始点又はリピート終了点の時間情報とに基づいて、特殊再生が前記リピート区間設定手段により設定されたリピート区間の終点に到達したか否かを判断し、早送り再生において再生されるＩピクチャがリピート終了点を超える場合には、当該Ｉピクチャを再生するとともに前記オンスクリーン表示手段により前記リピート終了点の画像データに基づく画像を表示させ、早戻し再生において再生されるＩピクチャがリピート開始点を超える場合には、当該Ｉピクチャを再生するとともに、前記オンスクリーン表示手段により前記リピート開始点の画像データに基づく画像を表示させることを特徴とするディスク再生装置。
【請求項２】
ディスク状記録媒体に記録された画像データの再生処理を制御する再生制御手段と、
画像データの再生処理中に入力手段から指示信号を入力されることに基づいて、リピート開始点とリピート終了点を設定するリピート区間設定手段と、
前記リピート区間設定手段により設定されたリピート区間の画像データを繰り返し再生するリピート再生制御手段と、
前記リピート再生制御手段によるリピート再生中の早送り再生又は早戻し再生を制御する特殊再生制御手段と、
主画像に副画像を重畳して表示可能なオンスクリーン表示手段と、
を備えたディスク再生装置であって、
前記リピート区間設定手段は、リピート開始点及びリピート終了点の時間情報を設定するとともに、リピート開始点及び／又はリピート終了点の画像データを記憶し、
前記特殊再生制御手段は、前記画像データに含まれるＩピクチャを所定の時間間隔で読み飛ばして特殊再生を行うとともに、特殊再生が前記リピート区間の終点に到達したときに、前記オンスクリーン表示手段により前記リピート開始点又はリピート終了点の画像データに基づく画像を表示させることを特徴とするディスク再生装置。
【請求項３】
前記特殊再生制御手段は、再生されるＩピクチャの時間情報と、前記リピート開始点又はリピート終了点の時間情報とに基づいて、特殊再生が前記リピート区間の終点に到達したか否かを判断し、
再生されるＩピクチャが前記リピート区間を超える場合に、当該Ｉピクチャを再生するとともに、前記オンスクリーン表示手段により前記リピート開始点又はリピート終了点の画像データに基づく画像を前記Ｉピクチャに重畳して表示させることを特徴とする請求項２に記載のディスク再生装置。
【請求項４】
前記特殊再生制御手段は、現在再生されているＩピクチャの時間情報と特殊再生において読み飛ばす前記所定の時間間隔に基づいて次に再生されるＩピクチャの時間情報を予測し、特殊再生が前記リピート区間の終点に到達するか否かを判断することを特徴とする請求項３に記載のディスク再生装置。
【請求項５】
前記特殊再生制御手段は、早送り再生が前記リピート終了点に到達したときには、前記オンスクリーン表示手段により前記リピート終了点の画像データに基づく画像を表示させ、早戻し再生が前記リピート開始点に到達したときには、前記オンスクリーン表示手段により前記リピート開始点の画像データに基づく画像を表示させることを特徴とする請求項２から４の何れかに記載のディスク再生装置。
【発明の詳細な説明】
【技術分野】
【０００１】
本発明は、ＤＶＤ（Digital Versatile Disk）等のディスク状記録媒体に記録されている画像データを再生可能なディスク再生装置に関し、特に、ＡＢリピート再生機能を備えたディスク再生装置に関する。
【背景技術】
【０００２】
近年、ＤＶＤ（Digital Versatile Disc）等の大容量のディスク状記録媒体が急速に発達してきており、このＤＶＤに記録されている画像データはディスク再生装置よって再生される。また、ＤＶＤにディジタル画像データを記録するためには、一般にＭＰＥＧ圧縮技術が利用されている。
【０００３】
このＭＰＥＧ圧縮技術においては、ＶＯＢＵ（Video Object Unit）と呼ばれるグループ単位で符号化時及び再生・編集時の処理が行われる。なお、１ＶＯＢＵ＝１ＧＯＰ（Group of Picture）として扱われる場合もある。
【０００４】
ところで、ＶＯＢＵ内の画像データは、通常Ｉ／Ｐ／Ｂピクチャという３種類のピクチャで構成されており、ＶＯＢＵ内の各フレームは、Ｉピクチャ、Ｐピクチャ、Ｂピクチャのいずれかに振り分けて符号化される。
【０００５】
ここで、Ｉピクチャとは、時間的に前後する他の画面の相関情報を用いることなく、自画面内の情報のみで圧縮可能な画面で、静止画としてＪＰＥＧと類似の圧縮がなされる（フレーム内符号化）。また、Ｐピクチャとは、時間的に過去の画面からの相関情報で表わされる画面で、過去のＩピクチャ又はＰピクチャを参照（前方向予測）して符号化される。また、Ｂピクチャとは、時間的に前後する画面からの相関情報で表される画面で、Ｉピクチャ又はＰピクチャを参照（双方向予測）して符号化される。
このような構造を有する画像データの再生時には、まずＩピクチャが復元され、このＩピクチャをもとにＰピクチャやＢピクチャが復元されることとなる。
【０００６】
一方、ディスク再生装置において早送り再生や早戻し再生を行う場合、Ｉピクチャだけを再生（表示）させる方法が一般的である（早送り再生にはＰピクチャを利用することもできる）。つまり、早送り再生や早戻し再生では、所定時間先（未来）又は後（過去）のＩピクチャが順次表示される。例えば、ＶＯＢＵ単位で所定数先又は後のＶＯＢＵのＩピクチャ（例えば、当該ＶＯＢＵの先頭のＩピクチャ）を表示させるようにしている。
【０００７】
さらに、ディスク再生装置においては、画像データの再生中にリモコン装置等の入力手段によりリピート開始点（Ａ点）とリピート終了点（Ｂ点）を設定して、このＡＢ区間を繰り返し再生させるＡＢリピート再生機能を備えているものもある。
【０００８】
例えば、特許文献１〜４に、ＡＢリピート再生に関する技術が開示されている。
【特許文献１】特開２００４−２４１０５１号公報
【特許文献２】特開２００３−２３５０１４号公報
【特許文献３】特開２００５−０７１５５１号公報
【特許文献４】特開２００１−３４８７３３９号公報
【発明の開示】
【発明が解決しようとする課題】
【０００９】
ところで、上述したＡＢリピート再生中でも早送り再生や早戻し再生を実行させることは可能であり、この場合も所定時間間隔（例えば、ＶＯＢＵ２つ飛ばし）でＩピクチャが表示される。
【００１０】
図５は、ＡＢリピート再生時の（Ａ）早送り再生処理及び（Ｂ）早戻し再生処理の説明図であり、ＶＯＢＵ＃ｎ−２再生中にＡ点（リピート開始点）が設定され、ＶＯＢＵ＃ｎ＋５再生中にＢ点（リピート終了点）が設定された場合を示している。なお、図５では、説明を簡単にするために、早送り再生又は早戻し再生において、ＶＯＢＵの先頭のＩピクチャが再生されるようにしているが、ＶＯＢＵ内のＩピクチャが再生される場合もある。
【００１１】
例えば、図５（Ａ）に示すように、ＡＢリピート再生によりＶＯＢＵ＃ｎ−１の画像データが再生されているＣ点において早送り再生（例えば、ＶＯＢＵ２つ飛ばし）が指示された場合は、ＶＯＢＵ＃ｎの先頭のＩピクチャ（Ｉn）、ＶＯＢＵ＃ｎ＋２の先頭のＩピクチャ（Ｉn+2）、・・の順にＩピクチャが再生される。そして、ＶＯＢＵ＃ｎ＋６の先頭のＩピクチャ（Ｉn+6）が再生されたときに、Ｂ点まで早送り再生されたと判定され、Ａ点に戻ってＡＢリピート再生が繰り返される。このとき、早送り再生がＢ点に到達したことは、Ｂ点の時間情報と再生されるＩピクチャの時間情報に基づいて行われる。したがって、Ｂ点を超えたＩn+6が再生されて初めて早送り再生がＢ点に到達したと判断できる。そして、早送り再生がＢ点まで到達したと判断され、Ａ点に戻るあいだはＡＢ区間外の画像Ｉn+6が表示されることとなる。
【００１２】
また、図５（Ｂ）に示すように、ＡＢリピート再生によりＶＯＢＵ＃ｎ＋４の画像データが再生されているＤ点において早戻し再生（例えば、ＶＯＢＵ２つ飛ばし）が指示された場合は、ＶＯＢＵ＃ｎ＋４の先頭のＩピクチャ（Ｉn+4）、ＶＯＢＵ＃ｎ＋２の先頭のＩピクチャ（Ｉn+2）、・・の順にＩピクチャが再生される。そして、ＶＯＢＵ＃ｎ−２の先頭のＩピクチャ（Ｉn-2）が再生されたときに、Ａ点まで早戻し再生されたと判定され、Ａ点に戻ってＡＢリピート再生が繰り返される。したがって、早戻し再生の場合も、早送り再生と同様に、Ａ点まで戻るあいだはＡＢ区間外の画像Ｉn-2が表示されることとなる。
【００１３】
このように、ＡＢリピート再生において設定されたＡ点及びＢ点に対応する画像データがＶＯＢＵの先頭のＩピクチャになっていない場合、早送り再生又は早戻し再生においてＡＢ区間の終点（Ａ点又はＢ点）を超えた後Ａ点に戻るまでは、ＡＢ区間外の画像が表示されてしまう。そのため、設定した区間外の画像が表示されることでユーザに不快感を与える虞がある。
【００１４】
そこで、本発明は、ＡＢリピート再生中に特殊再生処理（早送り再生や早戻し再生）を実行した場合に、設定したリピート区間外の映像が表示されるのを防止できるディスク再生装置を提供することを目的とする。
【課題を解決するための手段】
【００１５】
本発明は、上記目的を達成するためになされたもので、ディスク状記録媒体に記録された画像データの再生処理を制御する再生制御手段と、画像データの再生処理中に入力手段から指示信号を入力されることに基づいて、リピート開始点（Ａ点）とリピート終了点（Ｂ点）を設定するリピート区間設定手段と、前記リピート区間設定手段により設定されたリピート区間（ＡＢ区間）の画像データを繰り返し再生するリピート再生制御手段と、前記リピート再生制御手段によるリピート再生中の早送り再生又は早戻し再生を制御する特殊再生制御手段と、主画像に副画像を重畳して表示可能なオンスクリーン表示手段と、を備えたディスク再生装置であって、前記リピート区間設定手段は、リピート開始点（Ａ点）及びリピート終了点（Ｂ点）の時間情報を設定するとともに、リピート開始点（Ａ点）及び／又はリピート終了点（Ｂ点）の画像データを記憶し、前記特殊再生制御手段は、前記画像データに含まれるＩピクチャを所定の時間間隔（例えば、ＶＯＢＵ２つ飛ばし）で読み飛ばして特殊再生を行うとともに、特殊再生が前記リピート区間の終点（Ａ点又はＢ点）に到達したときに、前記オンスクリーン表示手段により前記リピート開始点（Ａ点）又はリピート終了点（Ｂ点）の画像データに基づく画像を表示させることを特徴とする。
【００１６】
また、前記特殊再生制御手段は、再生されるＩピクチャの時間情報と、前記リピート開始点（Ａ点）又はリピート終了点（Ｂ点）の時間情報とに基づいて、特殊再生が前記リピート区間の終点に到達したか否かを判断し、再生されるＩピクチャが前記リピート区間を超える場合に、当該Ｉピクチャを再生するとともに、前記オンスクリーン表示手段により前記リピート開始点（Ａ点）又はリピート終了点（Ｂ点）の画像データに基づく画像を前記Ｉピクチャに重畳して表示させるようにした。
【００１７】
さらに、前記特殊再生制御手段は、現在再生されているＩピクチャの時間情報と特殊再生において読み飛ばす前記所定の時間間隔に基づいて次に再生されるＩピクチャの時間情報を予測し、特殊再生が前記リピート区間の終点に到達するか否かを判断するようにした。これにより、次のＩピクチャを再生する前にリピート区間の終点に到達するか否かを判定することができるので、再生されるＩピクチャがリピート区間の終点を超える場合にＡ点又はＢ点の画像をスムーズにオンスクリーン表示させることができる。
【００１８】
また、前記特殊再生制御手段は、早送り再生が前記リピート終了点（Ｂ点）に到達したときには、前記オンスクリーン表示手段により前記リピート終了点（Ｂ点）の画像データに基づく画像を表示させ、早戻し再生が前記リピート開始点（Ａ点）に到達したときには、前記オンスクリーン表示手段により前記リピート開始点（Ａ点）の画像データに基づく画像を表示させるようにした。
【発明の効果】
【００１９】
本発明によれば、ＡＢリピート再生機能を有するディスク再生装置において、入力手段からの指示信号に基づいてＡ点（リピート開始点）及びＢ点（リピート終了点）の時間情報を設定するとともに、Ａ点及び／又はＢ点の画像データを記憶し、ＡＢリピート再生中の特殊再生（早送り再生又は早戻し再生）がリピート区間（ＡＢ区間）の終点に到達した場合には、Ａ点又はＢ点の画像データに基づく画像をオンスクリーン表示させるようにしたので、ユーザが設定したリピート区間外の画像が表示されることはなく、設定したリピート区間外の映像が表示されることでユーザに不快感を与えるのを防止することができる。
【発明を実施するための最良の形態】
【００２０】
以下、本発明の実施の形態について図面を参照して説明する。図１は、本発明に係るディスク再生装置の一実施形態としてのＤＶＤプレイヤー１００のブロック図である。
本実施形態のＤＶＤプレイヤー１００は、ＤＶＤ等のディスク状記録媒体からデータを読み出すためのディスクドライブ１０と、ディスクドライブで取得したＲＦ信号を所定のディジタルデータに変換するディジタル信号処理部２０と、処理された圧縮データを伸張して復元するデコード部３０と、出力部４０と、制御部５０と、操作部６０と、を備えて構成される。
【００２１】
ディスクドライブ１０は、スピンドルモータ１１と、光ピックアップ１２と、トラッキングモータ１３と、サーボシステム１４と、を有する。スピンドルモータ１１でＤＶＤ等のディスク状記録媒体Ｍを回転させ、トラッキングモータ１４により光ピックアップ１３を動作させ、この光ピックアップ１３により前記ディスク状記録媒体に記録されているデータを読み出す。具体的には、光ピックアップ１３は、ディスク状記録媒体Ｍに所定のレーザー光を照射し、反射してきた光を受光する。
【００２２】
ディジタル信号処理部２０は、ＲＦ信号処理部２１と、復調部２２と、エラー訂正部２３と、デマルチプレクサ２１と、を有する。ＲＦ信号処理部２１は、光ピックアップ１３により受光された反射光の波形信号（ＲＦ信号）をディジタルデータに変換する。復調部２２は、所定の変調方式（例えば、８／１６変調）で記録符号化されている前記ディジタルデータを元のデータに復調する。エラー訂正部２３は所定のエラー訂正方式（例えば、ＲＳ−ＰＣ（リードソロモン積符号）方式）により、復調したデータに対してエラー訂正を行う。デマルチプレクサ２４は、エラー訂正部２３で処理されたディジタルデータを、画像データ、字幕データ、音声データに分離する（ストリーム分離）。
【００２３】
デコード部３０は、オーディオデコーダ３１と、ビデオデコーダ３２と、を有する。オーディオデコーダ３１は、所定の方式（例えば、ドルビーＡＣ−３方式）で圧縮されている音声データを伸張して元の状態に復元する。ビデオデコーダ３２は、所定の方式（例えば、ＭＰＥＧ−２方式）で圧縮されている画像データを伸張して元の状態に復元する。
【００２４】
また、後述するＡＢリピート設定処理により、Ａ点及びＢ点が設定された場合には、ビデオデコーダ３２で復元されたＡ点の画像データ及びＢ点の画像データが記憶部３３に記憶される。この記憶部３３に記憶されたＡ点又はＢ点の画像データは、ＡＢリピート再生中の特殊再生（早送り再生又は早戻し再生）が終点（Ａ点又はＢ点）に到達したときに、主画像に重畳してオンスクリーン表示される（オンスクリーン表示手段）。
【００２５】
出力部４０は、ＮＴＳＣ／ＰＡＬエンコーダ４２と、Ｄ／Ａコンバータ４１，４３と、を有する。Ｄ／Ａコンバータ４１は、オーディオデコーダ３１で復元された音声信号（例えば、リニアＰＣＭ）をアナログ変換して出力する。ＮＴＳＣ／ＰＡＬエンコーダ４２は、ビデオデコーダ３２で復元された映像信号またはＯＳＤデータ（Ａ点又はＢ点の画像データ）と合成された映像信号をテレビ受像機で見ることができるように、ＮＴＳＣやＰＡＬといった方式にエンコードする。Ｄ／Ａコンバータ４３は、ＮＴＳＣ／ＰＡＬエンコーダ４２でエンコードされたディジタルデータをアナログ信号に変換して出力する。
【００２６】
制御部５０は、各ブロックの制御および所定の演算を行い、ＤＶＤプレイヤー１００の動作を制御するＣＰＵと、ＣＰＵの作業用メモリとして用いられるＲＡＭと、ＣＰＵで実行される制御用プログラム等が記録されたＲＯＭと、を備える。
【００２７】
操作部６０は、ＡＢリピート再生のリピート開始点（Ａ点）とリピート終了点（Ｂ点）を設定するための指示信号を制御部５０に入力可能で、例えば、装置本体の操作パネルやリモコン装置で構成される。
【００２８】
本実施形態のＤＶＤプレイヤー１００は、画像データの再生中にリピート開始点（Ａ点）とリピート終了点（Ｂ点）が操作部６０により設定さた場合に、リピート区間（ＡＢ区間）を繰り返し再生させるＡＢリピート再生機能を備えている。
【００２９】
つまり、制御部５０は、ＤＶＤに記録された画像データの再生処理を制御する再生制御手段として機能するとともに、画像データの再生処理中に操作部６０から指示信号を入力されることに基づいてリピート開始点（Ａ点）とリピート終了点（Ｂ点）を設定するリピート区間設定手段、設定されたリピート区間の画像データを繰り返し再生するリピート再生制御手段、ＡＢリピート再生中の早送り再生又は早戻し再生を制御する特殊再生制御手段として機能する。
【００３０】
次に、図２〜４を参照して、ＡＢリピート再生時の特殊再生処理について説明する。図２は、ＡＢリピート再生時の（Ａ）早送り再生処理及び（Ｂ）早戻し再生処理の説明図である。なお、図２では、説明を簡単にするために、早送り再生又は早戻し再生において、ＶＯＢＵの先頭のＩピクチャが再生されるようにしているが、ＶＯＢＵ内のＩピクチャが再生される場合もある。
【００３１】
また、図３は、リピート区間設定手段としての制御部５０により実行されるＡＢリピート設定処理について示したフローチャートである。図４は、リピート再生制御手段及び特殊再生制御手段としての制御部５０により実行されるＡＢリピート再生処理について示したフローチャートである。
【００３２】
まず、図３のステップＳ１０１で、リピート開始点（Ａ点）を設定する操作が行われたか判定する。そして、Ａ点の設定操作が行われたと判定した場合は、Ａ点の時間情報（Ｔa）を設定するとともに（ステップＳ１０２）、Ａ点の画像データ（Ｉa）を記憶部３３に記憶させる（ステップＳ１０３）。図２では、ＶＯＢＵ＃ｎ−２再生中にＡ点が設定された場合を示している。
【００３３】
次いで、ステップＳ１０４で、リピート終了点（Ｂ点）を設定する操作が行われたか判定する。そして、Ｂ点の設定操作が行われたと判定した場合は、Ｂ点の時間情報（Ｔb）を設定するとともに（ステップＳ１０５）、Ｂ点の画像データ（Ｉb）を記憶部３３に記憶させる（ステップＳ１０６）。図２では、ＶＯＢＵ＃ｎ＋５再生中にＢ点が設定された場合を示している。
以上のＡＢリピート設定処理によりリピート区間が設定される。なお、Ａ点及びＢ点の画像データは、Ｉピクチャ、Ｐピクチャ、又はＢピクチャの何れであっても構わない。
【００３４】
次いで、図４のステップＳ２０１で、ＡＢリピート設定処理によりＡ点とＢ点が設定されているか判定する。そして、Ａ点とＢ点の両方が設定されていると判定した場合は、設定されたＡ点の時間情報（Ｔa）に基づいてＡ点に移動し（ステップＳ２０２）、通常の再生処理（ＡＢリピート再生）を実行する（ステップＳ２０３）。この通常のＡＢリピート再生処理では、ＶＯＢＵ内に含まれるＩ／Ｐ／Ｂピクチャからなる画像データが順次再生される。例えば、まずＩピクチャが復元され、このＩピクチャをもとにＰピクチャが復元され、さらにＩピクチャ及びＰピクチャをもとにＢピクチャが復元されて、それぞれ再生されることとなる。
【００３５】
次いで、ＡＢリピート再生中に特殊再生（早送り再生又は早戻し再生）の指示信号が操作部６０より入力されたか判定する。そして、特殊再生の指示信号が入力されたと判定した場合はステップＳ２０７に移行し、特殊再生の指示信号が入力されていないと判定した場合はステップＳ２０５に移行する。
【００３６】
ステップＳ２０５では、通常のＡＢリピート再生がＢ点に到達したか判定する。例えば、Ｂ点の時間情報（Ｔb）と再生される画像データの時間情報（Ｔm）に基づいて、再生がＢ点に到達したか否かを判定する。そして、Ｂ点に到達したと判定した場合は再生を停止し（ステップＳ２０６）、ステップＳ２０２に移行してＡ点からＡＢリピート再生処理を繰り返す。なお、ステップＳ２０６で再生が停止されてからＡ点に戻るまでのあいだはＢ点の画像データＩbに基づく画像が表示される。
【００３７】
ステップＳ２０７では、指示された特殊再生が早戻し再生か早送り再生かを判定する。そして、早戻し再生であると判定したときは、ステップＳ２０８に移行して早戻し再生処理を行う。早戻し再生処理では、画像データに含まれるＩピクチャを、所定の時間間隔で読み飛ばして（例えば、ＶＯＢＵ２つ飛ばし）再生する。例えば、図２（Ｂ）に示すように、ＡＢリピート再生によりＶＯＢＵ＃ｎ＋４の画像データが再生されているＤ点において早戻し再生が指示された場合は、ＶＯＢＵ＃ｎ＋４の先頭のＩピクチャ（Ｉn+4）、ＶＯＢＵ＃ｎ＋２の先頭のＩピクチャ（Ｉn+2）、・・の順にＩピクチャが再生される。
【００３８】
次いで、ステップＳ２０９で、早戻し再生がＡ点に到達したか判定する。このとき、再生されるＩピクチャの時間情報（Ｔm）と、Ａ点の時間情報（Ｔa）とに基づいて、早戻し再生がＡ点に到達したかを判定する。例えば、図２（Ｂ）に示すように、ＶＯＢＵ＃ｎ−２の先頭のＩピクチャ（Ｉn-2）の時間情報Ｔn-2とＡ点の時間情報Ｔaを比較すると、Ｔaの方が大きくなるので、早戻し再生はＡ点に到達したと判定できる。
【００３９】
そして、ステップＳ２０９で早戻し再生がＡ点に到達したと判定した場合は、早戻し再生を停止させ（ステップＳ２１０）、Ａ点の画像データＩaに基づく画像をオンスクリーン表示させる（ステップＳ２１１）。その後、ステップＳ２０２に移行してＡ点からＡＢリピート再生処理を繰り返す。なお、早戻し再生がＩn-2で停止されてからＡ点に戻るまでは、Ａ点の画像データＩaに基づく画像が表示される。つまり、主画像としてはＩn-2が再生されているが、画面上はＩaが表示されることとなるので、ユーザはＩn-2を視認することはできない。
【００４０】
一方、ステップＳ２０７で早送り再生であると判定したときは、ステップＳ２１２に移行して早送り再生処理を行う。早送り再生処理では、画像データに含まれるＩピクチャを、所定の時間間隔で読み飛ばして（例えば、ＶＯＢＵ２つ飛ばし）再生する。例えば、図２（Ａ）に示すように、ＡＢリピート再生によりＶＯＢＵ＃ｎ−１の画像データが再生されているＣ点において早送り再生が指示された場合は、ＶＯＢＵ＃ｎの先頭のＩピクチャ（Ｉn）、ＶＯＢＵ＃ｎ＋２の先頭のＩピクチャ（Ｉn+2）、・・の順にＩピクチャが再生される。
【００４１】
次いで、ステップＳ２１３で、早送り再生がＢ点に到達したか判定する。このとき、再生されるＩピクチャの時間情報（Ｔm）と、Ｂ点の時間情報（Ｔb）とに基づいて、早送り再生がＢ点に到達したかを判定する。例えば、図２（Ａ）に示すように、ＶＯＢＵ＃ｎ＋６の先頭のＩピクチャ（Ｉn+6）の時間情報Ｔn+6とＢ点の時間情報Ｔbを比較すると、Ｔbの方が小さくなるので、早送り再生はＢ点に到達したと判定できる。
【００４２】
そして、ステップＳ２１３で早送り再生がＢ点に到達したと判定した場合は、早送り再生を停止させ（ステップＳ２１４）、Ｂ点の画像データＩbに基づく画像をオンスクリーン表示させる（ステップＳ２１５）。その後、ステップＳ２０２に移行してＡ点からＡＢリピート再生処理を繰り返す。なお、早送り再生がＩn+6で停止されてからＡ点に戻るまでは、Ｂ点の画像データＩbに基づく画像が表示される。つまり、主画像としてはＩn+6が再生されているが、画面上はＩbが表示されることとなるので、ユーザはＩn+6を視認することはできない。
【００４３】
このように、本実施形態のＤＶＤプレイヤー１００では、操作部６０からの指示信号に基づいてＡ点（リピート開始点）及びＢ点（リピート終了点）の時間情報Ｔa，Ｔbを設定するとともにＡ点及びＢ点の画像データＩa，Ｉbを記憶し、ＡＢリピート再生中の特殊再生（早送り再生又は早戻し再生）がリピート区間の終点（Ａ点又はＢ点）に到達した場合に、Ａ点又はＢ点の画像データＩa，Ｉbに基づく画像をオンスクリーン表示させる。
【００４４】
これにより、ＡＢリピート再生中の特殊再生で、ユーザが設定したリピート区間外の映像が表示されることはないので、設定したリピート区間外の映像が表示されることでユーザに不快感を与えるのを防止することができる。
【００４５】
以上、本発明者によってなされた発明を実施形態に基づいて具体的に説明したが、本発明は上記実施形態に限定されるものではなく、その要旨を逸脱しない範囲で変更可能である。
【００４６】
例えば、上記実施形態では、再生されるＩピクチャの時間情報とＡ点又はＢ点の時間情報とに基づいて特殊再生がリピート区間の終点に到達したか否かを判定するようにしているが、現在再生されているＩピクチャの時間情報と特殊再生により読み飛ばされる時間（例えば、２ＶＯＢＵ＝約１ｓｅｃ）から次に再生されるＩピクチャの時間情報を予測し、特殊再生がリピート区間の終点に到達するか否かを判断するようにしてもよい。これにより、次のＩピクチャを再生する前にリピート区間の終点に到達するか否かを判定することができるので、再生されるＩピクチャがリピート区間の終点を超える場合にＡ点又はＢ点の画像をスムーズにオンスクリーン表示させることができる。
【００４７】
また、上記実施形態では、早送り再生がＢ点に到達したときにはＢ点の画像データに基づく画像を表示させるようにしているが、早送り再生がＢ点に到達した場合にもＡ点の画像データに基づく画像を表示させるようにしてもよい。つまり、早送り再生がＢ点に到達した場合にもＡ点に戻ってＡＢリピート再生されるのであるから、主画像としてＡ点の画像が再生される前に、副画像としてＡ点の画像が表示されていても、ユーザが違和感を覚えることはない。
【００４８】
また、ＡＢリピート再生のキャンセル操作が入力された場合は、設定されたリピート区間を解除してその時点から通常の再生処理を行うようにしてもよい。また、ＡＢリピート再生中の特殊再生操作のキャンセル操作が入力された場合は、その時点からＡＢリピート再生処理を行うようにしてもよいし、設定されたリピート区間を解除してその時点から通常の再生処理を行うようにしてもよい。
【図面の簡単な説明】
【００４９】
【図１】本発明の一実施形態に係るＤＶＤレコーダの構成を示すブロック図である。
【図２】本発明に係るディスク再生装置におけるＡＢリピート再生時の（Ａ）早送り再生処理及び（Ｂ）早戻し再生処理の説明図である。
【図３】リピート区間設定手段としての制御部５０により実行されるＡＢリピート設定処理について示したフローチャートである。
【図４】リピート再生制御手段及び特殊再生制御手段としての制御部５０により実行されるＡＢリピート再生処理について示したフローチャートである。
【図５】従来のディスク再生装置におけるＡＢリピート再生時の（Ａ）早送り再生処理及び（Ｂ）早戻し再生処理の説明図である。
【符号の説明】
【００５０】
１０  ディスクドライブ
２０  ディジタル信号処理部
３０  デコード部
４０  出力部
５０  制御部
６０  操作部
１００  ＤＶＤプレイヤー
Ｍ    ディスク状記録媒体
【図１】
2008054194.tif 000003
【図２】
2008054194.tif 000004
【図３】
2008054194.tif 000005
【図４】
2008054194.tif 000006
【図５】
2008054194.tif 000007